(57)【要約】【課題】本発明は、通信技術分野に関し、特に、干渉を処理するための方法および装置を提供する。【解決手段】本発明は、アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列が測定され、ただし、第1のサブキャリアは、D2D送信端とアップリンクユーザ機器とによって共有されるサブキャリアであり、干渉チャネル行列に従って、アップリンク干渉チャネルの零空間行列が計算され、第1のサブキャリアを介してD2D受信端によって受信される信号が、この信号中のアップリンクユーザ機器から到来する干渉信号を除去するために、零空間行列を使用することによって処理される、干渉を処理するための方法および装置を提供する。【選択図】図１
2016197921.tif 000002
【特許請求の範囲】
【請求項１】
干渉を処理するための方法であって、
アップリンクユーザ機器によって使用される第1のサブキャリアによって搬送される第1の復調参照信号DMRSパイロットシンボルに従って、前記アップリンクユーザ機器からデバイスツーデバイスD2D受信端へのアップリンク干渉チャネルの干渉チャネル行列を測定するステップであって、前記第1のサブキャリアが、D2D送信端と前記アップリンクユーザ機器とによって共有されるサブキャリアである、測定するステップと、
前記干渉チャネル行列に従って、前記アップリンク干渉チャネルの零空間行列を計算するステップと、
前記零空間行列を使用することによって、D2D送信端から到来し、前記第1のサブキャリアを介して前記D2D受信端によって受信される信号を、前記信号中の前記アップリンクユーザ機器から到来する干渉信号を除去するために処理するステップと、
を含む、方法。
【請求項２】
前記アップリンクユーザ機器によって使用される前記第1のサブキャリアによって搬送される前記第1の復調参照信号DMRSパイロットシンボルに従って、前記アップリンクユーザ機器から前記デバイスツーデバイスD2D受信端への前記アップリンク干渉チャネルの前記干渉チャネル行列を前記測定するステップが、
前記アップリンクユーザ機器によって利用可能であるDMRSパイロットシーケンスの最初のK個のシンボルと、実際に受信される第1のDMRSパイロットシーケンスの最初のK個のシンボルとに従って、前記第1のDMRSパイロットシーケンスの長さを計算するステップと、
前記第1のDMRSパイロットシーケンスの前記長さに従って、前記第1のDMRSパイロットシーケンスおよび第1のサブバンドを計算するステップであって、前記第1のサブバンドが、前記D2D送信端と前記アップリンクユーザ機器とによって共有されるサブキャリアから成る、計算するステップと、
前記第1のサブバンドから前記第1のサブキャリアを選択し、前記第1のDMRSパイロットシーケンスから前記第1のDMRSパイロットシンボルを選択するステップと、
前記第1のサブキャリアおよび前記第1のDMRSパイロットシンボルに従って、前記干渉チャネル行列を測定するステップと、
を含む、請求項1に記載の干渉を処理するための方法。
【請求項３】
前記アップリンクユーザ機器によって利用可能である前記DMRSパイロットシーケンスの前記最初のK個のシンボルと、実際に受信される前記第1のDMRSパイロットシーケンスの前記最初のK個のシンボルとに従って、前記第1のDMRSパイロットシーケンスの前記長さを前記計算するステップが、
【数１】
2016197921.tif 000041
を式
【数２】
2016197921.tif 000042
に従って計算するステップであって、Liは、前記アップリンクユーザ機器によって利用可能であるDMRSパイロットシーケンスの長さであり、1≦i≦nであり、nは、異なる長さのDMRSパイロットシーケンスの種類の数であり、Yは、K*1次元の列ベクトルであり、前記列ベクトルは、実際に受信される前記第1のDMRSパイロットシーケンスの前記最初のK個のシンボルから成り、
【数３】
2016197921.tif 000043
は、前記アップリンクユーザ機器によって利用可能である、長さLiのm個のDMRSパイロットシーケンスの最初のK個のシンボルから成る行列
【数４】
2016197921.tif 000044
であり、mは、前記長さLiの異なるDMRSパイロットシーケンスの数であり、Xは、m×1次元の列ベクトルであり、前記列ベクトルは、
【数５】
2016197921.tif 000045
に最小値を達成させ、
【数６】
2016197921.tif 000046
は、
【数７】
2016197921.tif 000047
の最小値である、計算するステップと、
【数８】
2016197921.tif 000048
に最小値を達成させるLiを、式
【数９】
2016197921.tif 000049
に従って計算するステップであって、L*は、前記第1のDMRSパイロットシーケンスの前記長さである、計算するステップと、
を含む、請求項2に記載の干渉を処理するための方法。
【請求項４】
前記第1のDMRSパイロットシーケンスの前記長さに従って、前記第1のDMRSパイロットシーケンスを前記計算するステップが、
【数１０】
2016197921.tif 000050
に最小値を達成させるXを、式
【数１１】
2016197921.tif 000051
に従って計算するステップであって、L*は、前記第1のDMRSパイロットシーケンスの前記長さであり、mは、長さL*の異なるDMRSパイロットシーケンスの数であり、Yは、K*1次元の列ベクトルであり、前記列ベクトルは、実際に受信される前記第1のDMRSパイロットシーケンスの前記最初のK個のシンボルから成り、X*およびXは、m×1次元の列ベクトルであり、X*=[x1,x2,...,xm]Tであり、
【数１２】
2016197921.tif 000052
は、前記アップリンクユーザ機器によって利用可能である、前記長さL*のm個のDMRSパイロットシーケンスの最初のK個のシンボルから成る行列であり、
【数１３】
2016197921.tif 000053
であり、1≦i≦mである、計算するステップと、
X*における各要素のモジュール値を計算し、最小モジュール値を持つ要素xiが対応する
【数１４】
2016197921.tif 000054
におけるベクトル
【数１５】
2016197921.tif 000055
を前記第1のDMRSパイロットシーケンスとみなすステップと、
を含む、請求項2に記載の干渉を処理するための方法。
【請求項５】
前記アップリンク干渉チャネルの前記干渉チャネル行列に従って、前記アップリンク干渉チャネルの前記零空間行列を前記計算するステップが、式Q*H=0に従って前記零空間行列を計算するステップであって、Qは、前記零空間行列であり、Hは、前記干渉チャネル行列である、計算するステップを含む、請求項1に記載の干渉を処理するための方法。
【請求項６】
前記零空間行列を使用することによって、前記D2D送信端から到来し、前記第1のサブキャリアを介して前記D2D受信端によって受信される前記信号を、前記信号中の前記アップリンクユーザ機器から到来する前記干渉信号を除去するために前記処理するステップが、前記信号中の前記アップリンクユーザ機器から到来する前記干渉信号を除去するために、前記零空間行列に、前記第1のサブキャリアを介して前記D2D受信端によって受信される前記信号を乗じるステップを含む、請求項1に記載の干渉を処理するための方法。
【請求項７】
前記アップリンクユーザ機器によって使用される前記第1のサブキャリアによって搬送される前記第1の復調参照信号DMRSパイロットシンボルに従って、前記アップリンクユーザ機器から前記デバイスツーデバイスD2D受信端への前記アップリンク干渉チャネルの前記干渉チャネル行列を前記測定するステップの前に、D2D送信端から到来する信号および前記アップリンクユーザ機器から到来する信号を受信するステップをさらに含む、請求項1に記載の干渉を処理するための方法。
【請求項８】
前記D2D送信端から到来する前記受信される信号と、前記アップリンクユーザ機器から到来する信号とは、時間的に同期し、構造的に一致する、請求項7に記載の干渉を処理するための方法。
【請求項９】
前記D2D送信端から到来する前記受信される信号の前記DMRSパイロットシーケンスの位置と、前記アップリンクユーザ機器から到来する前記信号の前記DMRSパイロットシーケンスの位置とが、互いに重複しない、請求項8に記載の干渉を処理するための方法。
【請求項１０】
前記アップリンクユーザ機器から到来する前記受信される信号において、DMRSパイロットシーケンスが存在する位置で、前記D2D送信端から到来する対応する受信される信号は、前記位置において無声である、請求項9に記載の干渉を処理するための方法。
【請求項１１】
干渉を処理するための装置であって、
アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列を測定するように構成された測定ユニットであって、前記第1のサブキャリアが、D2D送信端と前記アップリンクユーザ機器との共有サブキャリアであり、前記アップリンク干渉チャネル行列が、計算ユニットへ送られる、測定ユニットと、
前記測定ユニットによって送られた前記干渉チャネル行列を受け取り、前記干渉チャネル行列に従って、前記アップリンク干渉チャネルの零空間行列を計算し、前記零空間行列を処理ユニットへ送るように構成された前記計算ユニットと、
前記計算ユニットによって送られた前記零空間行列を受け取り、前記零空間行列を使用することによって、D2D送信端から到来し、前記第1のサブキャリアを介して前記D2D受信端によって受信される信号を、前記信号中の前記アップリンクユーザ機器から到来する干渉信号を除去するために処理するように構成された前記処理ユニットと、
を備える、装置。
【請求項１２】
前記測定ユニットが、
前記アップリンクユーザ機器によって利用可能であるDMRSパイロットシーケンスの最初のK個のシンボルと、実際に受信される第1のDMRSパイロットシーケンスの最初のK個のシンボルとに従って、前記第1のDMRSパイロットシーケンスの長さを計算するように構成された第1の計算サブユニットと、
前記第1のDMRSパイロットシーケンスの前記長さに従って、前記第1のDMRSパイロットシーケンスおよび第1のサブバンドの位置を計算するように構成された第2の計算サブユニットであって、前記第1のサブバンドが、前記D2D送信端と前記アップリンクユーザ機器とによって共有されるサブキャリアから成る、第2の計算サブユニットと、
前記第1のサブバンドから前記第1のサブキャリアを選択し、前記第1のDMRSパイロットシーケンスから前記第1のDMRSパイロットシンボルを選択するように構成された選択サブユニットと、
前記第1のサブキャリアおよび前記第1のDMRSパイロットシンボルに従って、前記干渉チャネル行列を測定するように構成された測定サブユニットと、
を具体的に備える、請求項11に記載の干渉を処理するための装置。
【請求項１３】
前記第1の計算サブユニットが、
【数１６】
2016197921.tif 000056
を式
【数１７】
2016197921.tif 000057
に従って計算し、Liは、前記アップリンクユーザ機器によって利用可能であるDMRSパイロットシーケンスの長さであり、1≦i≦nであり、nは、異なる長さのDMRSパイロットシーケンスの種類の数であり、Yは、K*1次元の列ベクトルであり、前記列ベクトルは、実際に受信される前記第1のDMRSパイロットシーケンスの前記最初のK個のシンボルから成り、
【数１８】
2016197921.tif 000058
は、前記アップリンクユーザ機器によって利用可能である、長さLiのm個のDMRSパイロットシーケンスの最初のK個のシンボルから成る行列
【数１９】
2016197921.tif 000059
であり、mは、前記長さLiの異なるDMRSパイロットシーケンスの数であり、Xは、m×1次元の列ベクトルであり、前記列ベクトルは、
【数２０】
2016197921.tif 000060
に最小値を達成させ、
【数２１】
2016197921.tif 000061
は、
【数２２】
2016197921.tif 000062
の最小値であり、
【数２３】
2016197921.tif 000063
に最小値を達成させるLiを、式
【数２４】
2016197921.tif 000064
に従って計算し、L*は、前記第1のDMRSパイロットシーケンスの前記長さである、
ように具体的に構成される、請求項12に記載の干渉を処理するための装置。
【請求項１４】
前記第2の計算サブユニットが、
【数２５】
2016197921.tif 000065
に最小値を達成させるXを、式
【数２６】
2016197921.tif 000066
に従って計算し、L*は、前記第1のDMRSパイロットシーケンスの前記長さであり、mは、長さL*の異なるDMRSパイロットシーケンスの数であり、Yは、K*1次元の列ベクトルであり、前記列ベクトルは、実際に受信される前記第1のDMRSパイロットシーケンスの前記最初のK個のシンボルから成り、X*およびXは、m×1次元の列ベクトルであり、X*=[x1,x2,...,xm]Tであり、
【数２７】
2016197921.tif 000067
は、前記アップリンクユーザ機器によって利用可能である、前記長さL*のm個のDMRSパイロットシーケンスの最初のK個のシンボルから成る行列であり、
【数２８】
2016197921.tif 000068
、
【数２９】
2016197921.tif 000069
であり、1≦i≦mであり、
前記X*における各要素のモジュール値を計算し、最小モジュール値を持つ要素xiが対応する、
【数３０】
2016197921.tif 000070
におけるベクトル
【数３１】
2016197921.tif 000071
を前記第1のDMRSパイロットシーケンスとみなす、請求項12に記載の干渉を処理するための装置。
【請求項１５】
前記計算ユニットが、式Q*H=0に従って前記零空間行列を計算し、Qは、前記零空間行列であり、Hは、前記干渉チャネル行列である、請求項11に記載の干渉を処理するための装置。
【請求項１６】
前記処理ユニットが、前記信号中の前記アップリンクユーザ機器から到来する前記干渉信号を除去するために、前記零空間行列に、D2D送信端から到来し、前記第1のサブキャリアを介して前記D2D受信端によって受信される前記信号を乗じる、請求項11に記載の干渉を処理するための装置。
【請求項１７】
前記装置が、
前記D2D送信端から到来する信号および前記アップリンクユーザ機器から到来する信号を受信するように構成された受信ユニット
をさらに備える、請求項11に記載の干渉を処理するための装置。
【請求項１８】
前記D2D送信端から到来する前記信号と、前記アップリンクユーザ機器から到来する信号とは、双方共に前記受信ユニットによって受信され、時間的に同期し、構造的に一致する、請求項17に記載の干渉を処理するための装置。
【請求項１９】
双方共に前記受信ユニットによって受信される、前記D2D送信端から到来する前記信号の前記DMRSパイロットシーケンスの位置と、前記アップリンクユーザ機器から到来する前記信号の前記DMRSパイロットシーケンスの位置とが、互いに重複しない、請求項18に記載の干渉を処理するための装置。
【請求項２０】
前記アップリンクユーザ機器から到来し、前記受信ユニットによって受信される前記信号において、DMRSパイロットシーケンスが存在する位置で、前記D2D送信端から到来する対応する受信される信号は、前記位置において無声である、請求項19に記載の干渉を処理するための装置。
【発明の詳細な説明】
【技術分野】
【０００１】
本願は、2012年12月5日に中国国家知識産権局に出願され、「METHOD AND DEVICE FOR PROCESSING INTERFERENCE」と題された中国特許出願第201210514520.5号の優先権を主張し、この出願の全内容は、本願において参照により本明細書に組み込まれる。
【０００２】
本発明は、通信技術分野に関し、特に、干渉を処理するための方法および装置に関する。
【背景技術】
【０００３】
現在、ほとんどのデバイスツーデバイス(Device-to-Device、D2D)送信技術において、従来の端末のアンテナ数は一般にわずか1〜2であり、干渉除去の限定的な機能につながるので、D2D通信は、セルラ通信の周波数スペクトルとは異なる周波数スペクトルを使用する。すなわち、D2D通信の周波数スペクトルとセルラ通信の周波数スペクトルとは互いに直交し、これにより、相互干渉を回避することができるが、端末のマルチアンテナの能力を充分に発揮させることはできず、リソースの低い利用率につながる。
【０００４】
アンテナ技術の継続的な発展と共に、将来の携帯端末は、より多くのアンテナ(例えば、最大で8つのアンテナ)を有する可能性があり、これは、セルラ通信のアップリンク/ダウンリンクスループットを強化することができるだけでなく、携帯端末に端末間の直接通信(D2D通信)のためにセルラ通信のアップリンク周波数スペクトルを多重化させることができる。すなわち、同じ周波数スペクトルにおいて、アップリンクユーザは、信号を基地局へ送信し、D2D送信端も、データをD2D受信端へ送信する。
【０００５】
周波数スペクトルの共有を実施することは、システムの周波数スペクトル利用率を劇的に増加させ得るが、異なるモードにおける送信間には相互干渉をもたらすであろう。しかしながら、前述の干渉は、端末のマルチアンテナの機能を用いて、空間次元において除去され得る。干渉除去の目的を達成するために、D2D端末は、干渉認識機能をさらに有していなければならない。
【発明の概要】
【課題を解決するための手段】
【０００６】
本発明の実施形態は、干渉を処理するための方法および装置を提供し、この方法および装置は、アップリンクユーザによって送信される信号によって引き起こされる、D2D受信端によって受信される信号への干渉の除去を実現することができる。
【０００７】
第1の態様において、本発明の一実施形態は、干渉を処理するための方法を提供し、本方法は、
アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列を測定するステップであって、第1のサブキャリアが、D2D送信端とアップリンクユーザ機器とによって共有されるサブキャリアである、測定するステップと、
干渉チャネル行列に従って、アップリンク干渉チャネルの零空間行列を計算するステップと、
零空間行列を使用することによって、D2D送信端から到来し、第1のサブキャリアを介してD2D受信端によって受信される信号を、この信号中のアップリンクユーザ機器から到来する干渉信号を除去するために処理するステップと、
を含む。
【０００８】
第2の態様において、本発明の一実施形態は、干渉を処理するための装置を提供し、本装置は、
アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列を測定するように構成された測定ユニットであって、第1のサブキャリアが、D2D送信端とアップリンクユーザ機器との共有サブキャリアであり、アップリンク干渉チャネル行列が、計算ユニットへ送られる、測定ユニットと、
測定ユニットによって送られた干渉チャネル行列を受け取り、干渉チャネル行列に従って、アップリンク干渉チャネルの零空間行列を計算し、零空間行列を処理ユニットへ送るように構成された計算ユニットと、
計算ユニットによって送られた零空間行列を受け取り、零空間行列を使用することによって、D2D送信端から到来し、第1のサブキャリアを介してD2D受信端によって受信される信号を、この信号中のアップリンクユーザ機器から到来する干渉信号を除去するために処理するように構成された処理ユニットと、
を備える。
【０００９】
本発明の一実施形態において、アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列が測定され、ただし、第1のサブキャリアは、D2D送信端とアップリンクユーザ機器とによって共有されるサブキャリアであり、干渉チャネル行列に従って、アップリンク干渉チャネルの零空間行列が計算され、D2D送信端から到来し、第1のサブキャリアを介してD2D受信端によって受信される信号が、この信号中のアップリンクユーザ機器から到来する干渉信号を除去するために、上記零空間行列を使用することによって処理される。したがって、アップリンク周波数スペクトルがD2D送信によって多重化される場合、どのようにしてD2D受信端におけるアップリンクユーザの干渉を回避するかをD2D送信端が考慮することは不要であり、これによって、D2D送信におけるアップリンク周波数スペクトルの感知の必要性を大きく簡略化する。
【図面の簡単な説明】
【００１０】
【図１】本発明の実施形態1によって提供される、干渉を処理するための方法のフローチャートである。
【図２】本発明の実施形態1によって提供される、LTEシステムにおけるアップリンクサブフレームおよびD2Dフレームの構造概略図である。
【図３】本発明の実施形態2によって提供される、干渉を処理するための装置の概略図である。
【発明を実施するための形態】
【００１１】
本発明の目的、技術的解決策および利点をより明確にするために、本発明の実施形態は、添付の図面と共に、以下にさらに詳細に説明される。
【００１２】
説明を容易にするために、本願は、セルラシステムが使用するものをLTEプロトコルまたはLTEプロトコルの進化したバージョンと仮定するが、本発明の実施形態によって提供される方法および装置の保護範囲は、そのようなセルラシステムに限定されず、他のセルラシステムにも適用可能である。
【００１３】
本発明の実施形態をより明確にするために、本発明の実施形態についての適用場面は、本明細書において最初に具体的に紹介されるであろう。
【００１４】
セルラシステムにおいて、セルラシステムのアップリンクユーザは、アップリンク周波数スペクトルを介してマルチキャリア送信モードにおいて信号を基地局へ送信する。すなわち、アップリンク周波数スペクトルの様々な搬送波は、アップリンク送信のために種々のユーザに割り当てられ得る。例えば、LTEシステムにおいて、異なるアップリンクユーザは、異なるOFDMサブキャリアを使用する。デバイスツーデバイス(D2D)送信端は、アップリンク周波数スペクトルのうちのいくつかの搬送波を使用して、信号をD2D受信端へ送信することができ、D2D送信端は、いくつかのアップリンクユーザのサブキャリアを同時に占有することもでき、D2D受信端は、データが送信される場合に、D2D送信端によって使用される搬送波を予め知得している。例えば、D2D通信がLTEアップリンク周波数スペクトルを多重化する場合、D2D通信は、OFDM送信モードも使用し、OFDMシンボルは、アップリンク通信のOFDMシンボルと同期する。このようにして、D2D通信の信号とアップリンク通信の信号との双方が同じサブキャリアに存在することが可能である。
【００１５】
ほとんどの場合において、D2D送信端は、干渉を回避するために関連する手段を有していないか、または使用することができず(すなわち、D2D送信端自体から遠く離れたアップリンクユーザのサブキャリアが使用される)、D2D受信端は、このD2D受信端が使用する搬送波内で、D2D送信端の信号を受信するだけでなく、アップリンクユーザの強い信号も受信し得る。しかしながら、後者の信号は、D2D受信端にとっては干渉信号であり、端末のマルチアンテナを用いた干渉処理が必要となる。説明を容易にするために、アップリンクユーザからD2D受信端へのチャネルは、以下、アップリンク干渉チャネルと呼ばれ、D2D送信端からD2D受信端へのチャネルは、以下、D2Dチャネルと呼ばれる。
【００１６】
端末のアンテナ機能を使用することによってアップリンク干渉処理およびD2D信号検出を実行する鍵は、同じサブキャリアを占有するアップリンクユーザおよびD2D送信端からD2D受信端へのチャネルの情報を取得することである。D2D信号およびアップリンク信号は、同じサブキャリア上にあり、D2D受信端は、アップリンクユーザによって送信される特定のパイロットシーケンスを認識していないことがあるため、従来の方法を使用することによって、アップリンクユーザからD2D受信端へのチャネルの情報を検出することは困難であり、したがって、信号中の干渉信号は除去され得ない。
【００１７】
図1は、本発明の実施形態1によって提供される、干渉を処理するための方法のフローチャートである。図1に示されるように、本発明の実施形態によって提供される方法は:
アップリンクユーザ機器によって使用される第1のサブキャリアによって搬送される第1の復調参照信号DMRSパイロットシンボルに従って、アップリンクユーザ機器のD2D受信端へのアップリンク干渉チャネルの干渉チャネル行列が測定され、ただし、第1のサブキャリアは、D2D送信端とアップリンクユーザ機器とによって共有されるサブキャリアである、S101を含む。具体的には、アップリンク干渉チャネルは、アップリンク干渉チャネルのチャネル行列によって特徴付けられ得る。そのため、アップリンク干渉チャネルのチャネル行列を測定することができるようにするために、D2D受信端は、アップリンクユーザ機器によって使用される第1のサブキャリアと、第1のサブキャリアによって使用される第1のDMRSパイロットシンボルとを認識していなければならない。また、D2D受信端は、第1のDMRSパイロットシーケンスの最初の位置を判定し得るが、第1のDMRSパイロットシーケンスの長さを認識することはできない。そのため、まず、第1のDMRSパイロットシーケンスの長さを取得し、その長さに従って、第1のDMRSパイロットシーケンスおよび第1のサブバンドを判定することが必要であり、それによって、第1のサブバンドから第1のサブキャリアを選択し、第1のDMRSパイロットシーケンスから第1のDMRSパイロットシンボルを選択する。ただし、第1のサブバンドは、D2D送信端とアップリンクユーザ機器とによって共有される全てのサブキャリアから成る。
【００１８】
LTEセルラシステムを例にとると、LTEセルラシステムにおいて、異なる長さのDMRSパイロットシーケンスは、異なる構造を有する。すなわち、異なる長さのDMRSパイロットシーケンスの最初のK個のシンボルは、同一ではない。そのため、アップリンク干渉ユーザによって実際に使用されるDMRSパイロットシーケンスは、D2D受信端によって実際に受信されるDMRSパイロットシーケンスの最初のK個のシンボルと、異なる長さの既存および既知のDMRSの最初のK個のシンボルとを比較することによって、推定され得る。具体的な方法は、以下の通りである。
【００１９】
まず、第1のDMRSパイロットシーケンスの長さは、アップリンクユーザ機器が使用し得るDMRSパイロットシーケンスの最初のK個のシンボル、および実際に受信される第1のDMRSパイロットシーケンスの最初のK個のシンボルに従って、計算され得る。
【００２０】
すなわち、
【００２１】
【数１】
2016197921.tif 000003
【００２２】
は、式
【００２３】
【数２】
2016197921.tif 000004
【００２４】
に従って計算され得る。式中、Liは、アップリンクユーザ機器が使用し得るDMRSパイロットシーケンスの長さであり、1≦i≦nであり、nは、異なる長さのDMRSパイロットシーケンスの種類の数であり、アップリンクユーザ機器が使用し得るDMRSパイロットシーケンスは、ちょうど既存および既知のパイロットシーケンスの長さであり、Yは、K*1次元の列ベクトルであり、この列ベクトルは、実際に受信される第1のDMRSパイロットシーケンスの最初のK個のシンボルから成り、
【００２５】
【数３】
2016197921.tif 000005
【００２６】
は、アップリンクユーザ機器が使用し得る、長さLiのm個のDMRSパイロットシーケンスの最初のK個のシンボルから成る行列
【００２７】
【数４】
2016197921.tif 000006
【００２８】
であり、mは、長さLiの異なるDMRSパイロットシーケンスの数であり、Xは、m×1次元の列ベクトルであり、この列ベクトルは、
【００２９】
【数５】
2016197921.tif 000007
【００３０】
に最小値を達成させ、
【００３１】
【数６】
2016197921.tif 000008
【００３２】
は、
【００３３】
【数７】
2016197921.tif 000009
【００３４】
の最小値である。すなわち、パイロットシーケンスの長さLiが判定される場合はいつでも、
【００３５】
【数８】
2016197921.tif 000010
【００３６】
に最小値を達成させるXは、式
【００３７】
【数９】
2016197921.tif 000011
【００３８】
に従って推定され得る。式中、最小値は、
【００３９】
【数１０】
2016197921.tif 000012
【００４０】
によって表される。
【００４１】
全ての取り得る
【００４２】
【数１１】
2016197921.tif 000013
【００４３】
が前述のプロセスによって算出された後、
【００４４】
【数１２】
2016197921.tif 000014
【００４５】
に最小値を達成させるLiは、式
【００４６】
【数１３】
2016197921.tif 000015
【００４７】
に従って計算され得る。式中、L*は、第1のDMRSパイロットシーケンスの長さである。
【００４８】
次に、
【００４９】
【数１４】
2016197921.tif 000016
【００５０】
に最小値を達成させるXは、第1のDMRSパイロットシーケンスの長さL*および式
【００５１】
【数１５】
2016197921.tif 000017
【００５２】
に従って計算され得る。式中、mは、長さL*の異なるDMRSパイロットシーケンスの数であり、Yは、K*1次元の列ベクトルであり、この列ベクトルは、実際に受信される第1のDMRSパイロットシーケンスの最初のK個のシンボルから成り、X*およびXは、m×1次元の列ベクトルであり、X*=[x1,x2,...,xm]Tであり、
【００５３】
【数１６】
2016197921.tif 000018
【００５４】
は、アップリンクユーザ機器によって利用可能である、長さL*のm個のDMRSパイロットシーケンスの最初のK個のシンボルから成る行列であり、
【００５５】
【数１７】
2016197921.tif 000019
【００５６】
であり、1≦i≦mである。X*における各要素のモジュール値が計算され、最小モジュール値を持つ要素xiに対応する、
【００５７】
【数１８】
2016197921.tif 000020
【００５８】
におけるベクトル
【００５９】
【数１９】
2016197921.tif 000021
【００６０】
は、第1のDMRSパイロットシーケンスとみなされる。
【００６１】
各サブキャリアは、DMRSパイロットシーケンスの1つのシンボルに対応するため、アップリンクユーザ機器によって使用される第1のサブバンドに含まれるサブキャリアの数は、第1のDMRSパイロットシーケンスの長さL*に従って計算され得、それによって、第1のサブバンドが判定され得る。
【００６２】
最後に、第1のサブキャリアが第1のサブバンドから選択され、第1のDMRSパイロットシンボルが第1のDMRSパイロットシーケンスから選択され、干渉チャネル行列は、第1のサブバンドおよびDMRSパイロットシンボルに従って測定される。
【００６３】
D2D送信端とアップリンクユーザ機器とによって共有される各サブキャリアが対応する各アップリンク干渉チャネルの干渉チャネル行列は測定されなければならないことに留意されたい。
【００６４】
任意選択で、ステップS101の前に、D2D受信端は、D2D送信端から到来する信号と、アップリンクユーザ機器から到来する信号とを受信してもよい。D2D受信端にアップリンクユーザ機器からD2D受信端自体へのチャネルを検出させるために、D2D受信端によって受信される信号の構造は、以下のように特徴付けられる。
【００６５】
時間次元において、信号の構造は、アップリンクユーザ機器から到来する信号の構造と一致する。すなわち、D2D受信端によって受信される信号は、サブフレームの形式で編成され、このサブフレームは、時間次元においてアップリンクユーザ機器からのサブフレームと一致する。また、双方共にD2D受信端によって受信される、D2D送信端から到来する信号およびアップリンクユーザ機器から到来する信号におけるDMRSパイロットシーケンスの位置は、互いに重複しない。
【００６６】
好適には、アップリンクユーザ機器から到来し、D2D受信端によって受信される信号において、DMRSパイロットシーケンスの位置で、アップリンクユーザ機器のアップリンク干渉チャネルの検出をより良好に実行するために、D2D送信端から到来する対応する受信される信号は、その位置において無声である。図2は、本発明の実施形態1によって提供される、LTEシステムにおけるアップリンクサブフレームおよびD2Dフレームの構造概略図である。図2に示されるように、図2中の「1」は、アップリンクサブフレームのDMRSパイロットシーケンスを表し、「2」は、D2DフレームのDMRSパイロットシーケンスを表し、「3」は、アップリンクサブフレームのDMRSパイロットシーケンスが存在する位置においてD2Dフレームが無声であることを表す。1つのアップリンクサブフレームは、いくつかのOFDMシンボルから成り、ただし、アップリンクユーザ機器から到来する受信される信号において、あるサブフレームの2つのOFDMシンボルにおけるDMRSパイロットシーケンスの位置で、D2D送信端から到来し、対応するD2D受信端によって受信される対応する信号は、OFDMシンボル上で無声に維持されることが分かる。
【００６７】
S102では、アップリンク干渉チャネルの零空間行列が、干渉チャネル行列に従って計算される。
【００６８】
具体的には、零空間行列は、式Q*H=0に従って計算され得る。式中、Qは、零空間行列であり、Hは、干渉チャネル行列である。
【００６９】
D2D送信端とアップリンクユーザ機器とによって共有される各サブキャリアに対応する各アップリンク干渉チャネルの零空間行列は計算される必要があることに留意されたい。
【００７０】
S103では、零空間行列を使用することによって、D2D送信端から到来し、第1のサブキャリアを介してD2D受信端によって受信される信号が、この信号中のアップリンクユーザ機器から到来する干渉信号を除去するために処理される。
【００７１】
具体的には、D2D受信端は、D2D送信端から到来する、第1のサブキャリアを介して受信される信号に、サブキャリアに対応するアップリンク干渉チャネルの零空間行列を乗じ、その後、D2Dチャネル検出および信号検出を実行し得る。D2D信号検出はアップリンク干渉チャネルの零空間において実行されるため、アップリンク干渉は除去されている。
【００７２】
本発明の実施形態において、D2D受信端は、アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列を測定し、干渉チャネル行列に従って、アップリンク干渉チャネルの零空間行列を計算し、零空間行列を使用することによって、D2D送信端から到来する、第1のサブキャリアを介してD2D受信端によって受信される信号を、この信号中のアップリンクユーザ機器から到来する干渉信号を除去するために処理し、ただし、第1のサブキャリアは、D2D送信端とアップリンクユーザ機器とによって共有されるサブキャリアである。そのため、アップリンク周波数スペクトルがD2D送信によって多重化される場合、どのようにしてD2D受信端におけるアップリンクユーザ機器の干渉を回避するかをD2D送信端が考慮することは不要であり、これは、D2D送信におけるアップリンク周波数スペクトルの感知の必要性を大きく簡略化する。また、D2D送信端から、およびアップリンクユーザ機器から到来する、D2D受信端によって受信される信号におけるDMRSパイロットシーケンスの位置は重複せず、これは、アップリンク干渉チャネルの検出期間中に引き起こされる干渉を低減し得る。
【００７３】
したがって、本発明の実施形態は、干渉を処理するための装置を提供する。図3は、本発明の実施形態2によって提供される、干渉を処理するための装置の概略図である。図3に示されるように、本装置は、測定ユニット301、計算ユニット302および処理ユニット303を含む。
【００７４】
測定ユニット301は、アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列を測定するように構成される。ただし、第1のサブキャリアは、D2D送信端とアップリンクユーザ機器とによって共有されるサブキャリアである。
【００７５】
アップリンク干渉チャネルは、干渉チャネル行列によって特徴付けられ得、D2D送信端とアップリンクユーザ機器とによって共有される各サブキャリアが対応する各アップリンク干渉チャネルの干渉チャネル行列は、測定されなければならないことに留意されるべきである。
【００７６】
計算ユニット302は、干渉チャネル行列に従って、アップリンク干渉チャネルの零空間行列を計算するように構成される。
【００７７】
具体的には、計算ユニット302は、式Q*H=0に従って、零空間行列を計算する。式中、Qは、零空間行列であり、Hは、干渉チャネル行列である。
【００７８】
D2D送信端とアップリンクユーザ機器とによって共有される各サブキャリアに対応する各アップリンク干渉チャネルの零空間行列は、計算される必要があることに留意されたい。
【００７９】
処理ユニット303は、零空間行列を使用することによって、D2D送信端から到来し、第1のサブキャリアを介してD2D受信端によって受信される信号を、この信号中のアップリンクユーザ機器から到来する干渉信号を除去するために処理するように構成される。
【００８０】
具体的には、D2D受信端は、D2D送信端から到来する、第1のサブキャリアを介して受信される信号に、サブキャリアに対応するアップリンク干渉チャネルの零空間行列を乗じ、その後、D2Dチャネル検出および信号検出を実行し得る。D2D信号検出はアップリンク干渉チャネルの零空間において実行されるため、アップリンク干渉は除去されている。
【００８１】
本発明の実施形態によって提供される測定ユニット301は、具体的には、第1の計算サブユニット310、第2の計算サブユニット311、選択サブユニット312および測定サブユニット313を含む。
【００８２】
第1の計算サブユニット310は、アップリンクユーザ機器によって利用可能である第1のDMRSパイロットシーケンスの最初のK個のシンボルと、実際に受信される第1のDMRSパイロットシーケンスの最初のK個のシンボルとに従って、第1のDMRSパイロットシーケンスの長さを計算するように構成される。
【００８３】
アップリンク干渉チャネルは、チャネル行列によって特徴付けられ得る。そのため、アップリンク干渉チャネルの干渉チャネル行列を測定することができるようにするために、D2D受信端は、アップリンクユーザ機器によって使用される第1のサブキャリアと、第1のサブキャリアによって使用される第1のDMRSパイロットシンボルとを認識していなければならない。また、D2D受信端は、第1のDMRSパイロットシーケンスの最初の位置を判定し得るが、第1のDMRSパイロットシーケンスの長さを認識することはできない。そのため、まず、第1のDMRSパイロットシーケンスの長さを取得し、その長さに従って、第1のDMRSパイロットシーケンスおよび第1のサブバンドを判定することが必要であり、それによって、第1のサブバンドから第1のサブキャリアを選択し、第1のDMRSパイロットシーケンスから第1のDMRSパイロットシンボルを選択する。ただし、第1のサブバンドは、D2D送信端とアップリンクユーザ機器とによって共有される全てのサブキャリアから成る。
【００８４】
具体的には、第1の計算サブユニット310は、
【００８５】
【数２０】
2016197921.tif 000022
【００８６】
を、式
【００８７】
【数２１】
2016197921.tif 000023
【００８８】
に従って計算する。式中、Liは、アップリンクユーザ機器が使用し得るDMRSパイロットシーケンスの長さであり、1≦i≦nであり、nは、異なる長さのDMRSパイロットシーケンスの種類の数であり、アップリンクユーザ機器が使用し得るDMRSパイロットシーケンスは、ちょうど既存および既知のパイロットシーケンスの長さであり、Yは、K*1次元の列ベクトルであり、この列ベクトルは、実際に受信される第1のDMRSパイロットシーケンスの最初のK個のシンボルから成り、
【００８９】
【数２２】
2016197921.tif 000024
【００９０】
は、アップリンクユーザ機器が使用し得る、長さLiのm個のDMRSパイロットシーケンスの最初のK個のシンボルから成る行列
【００９１】
【数２３】
2016197921.tif 000025
【００９２】
であり、mは、長さLiの異なるDMRSパイロットシーケンスの数であり、Xは、m×1次元の列ベクトルであり、この列ベクトルは、
【００９３】
【数２４】
2016197921.tif 000026
【００９４】
に最小値を達成させ、
【００９５】
【数２５】
2016197921.tif 000027
【００９６】
は、
【００９７】
【数２６】
2016197921.tif 000028
【００９８】
の最小値である。すなわち、パイロットシーケンスの長さLiが判定される場合はいつでも、
【００９９】
【数２７】
2016197921.tif 000029
【０１００】
に最小値を達成させるXは、式
【０１０１】
【数２８】
2016197921.tif 000030
【０１０２】
に従って推定され得、最小値は、
【０１０３】
【数２９】
2016197921.tif 000031
【０１０４】
によって表される。
【０１０５】
全ての取り得る
【０１０６】
【数３０】
2016197921.tif 000032
【０１０７】
が前述のプロセスによって算出された後、
【０１０８】
【数３１】
2016197921.tif 000033
【０１０９】
に最小値を達成させるLiは、式
【０１１０】
【数３２】
2016197921.tif 000034
【０１１１】
に従って計算され得る。式中、L*は、第1のDMRSパイロットシーケンスの長さである。第2の計算サブユニット311は、第1のDMRSパイロットシーケンスの長さに従って、第1のDMRSパイロットシーケンスの位置および第1のサブバンドを計算するように構成される。ただし、第1のサブバンドは、D2D送信端とアップリンクユーザ機器とによって共有されるサブキャリアから成る。
【０１１２】
具体的には、第2の計算サブユニット311は、
【０１１３】
【数３３】
2016197921.tif 000035
【０１１４】
に最小値を達成させるXを、式
【０１１５】
【数３４】
2016197921.tif 000036
【０１１６】
に従って計算する。ここで、L*は、第1のDMRSパイロットシーケンスの長さであり、mは、各々が長さL*の異なるDMRSパイロットシーケンスの数であり、Yは、K*1次元の列ベクトルであり、この列ベクトルは、実際に受信される第1のDMRSパイロットシーケンスの最初のK個のシンボルから成り、X*およびXは、m×1次元の列ベクトルであり、X*=[x1,x2,...,xm]Tであり、
【０１１７】
【数３５】
2016197921.tif 000037
【０１１８】
は、アップリンクユーザ機器によって利用可能である、各々が長さL*のm個のDMRSパイロットシーケンスの最初のK個のシンボルから成る行列であり、
【０１１９】
【数３６】
2016197921.tif 000038
【０１２０】
であり、1≦i≦mである。X*における各要素のモジュール値が計算され、最小モジュール値を持つ要素xiに対応する
【０１２１】
【数３７】
2016197921.tif 000039
【０１２２】
におけるベクトル
【０１２３】
【数３８】
2016197921.tif 000040
【０１２４】
は、第1のDMRSパイロットシーケンスとみなされる。
【０１２５】
各サブキャリアはDMRSパイロットシーケンスの1つのシンボルに対応するため、第1のサブバンドが判定され得るように、アップリンクユーザ機器によって使用される第1のサブバンドに含まれるサブキャリアの数は、第1のDMRSパイロットシーケンスの長さL*に従って計算され得る。
【０１２６】
選択サブユニット312は、第1のサブバンドから第1のサブキャリアを選択し、第1のDMRSパイロットシーケンスから第1のDMRSパイロットシンボルを選択するように構成される。
【０１２７】
測定サブユニット313は、第1のサブバンドおよびDMRSパイロットシンボルに従って、干渉チャネル行列を測定するように構成される。
【０１２８】
任意選択で、本装置は、D2D送信端から到来する信号およびアップリンクユーザ機器から到来する信号を受信するための受信ユニット304をさらに含む。
【０１２９】
双方共に受信ユニット304によって受信される、D2D送信端から到来する信号とアップリンクユーザ機器から到来する信号とは、時間的に同期し、構造的に一致する。双方共に受信ユニット304によって受信される、D2D送信端から到来する信号およびアップリンクユーザ機器から到来する信号におけるDMRSパイロットシーケンスの位置は、互いに重複しない。
【０１３０】
好適には、アップリンクユーザ機器から到来し、受信ユニット304によって受信される信号において、DMRSパイロットシーケンスの位置で、アップリンクユーザ機器のアップリンク干渉チャネルの検出をより良好に実行するために、D2D送信端から到来する対応する受信される信号は、受信時には、その位置において無声である。
【０１３１】
本発明の実施形態において、D2D受信端は、アップリンクユーザ機器によって使用される第1のサブキャリアによって搬送される第1の復調参照信号DMRSパイロットシンボルに従って、アップリンクユーザ機器からD2D受信端へのアップリンク干渉チャネルの干渉チャネル行列を測定し、干渉チャネル行列に従って、アップリンク干渉チャネルの零空間行列を計算し、零空間行列を使用することによって、D2D送信端から到来する、第1のサブキャリアを介してD2D受信端によって受信される信号を、信号中のアップリンクユーザ機器から到来する干渉信号を除去するために処理し、ただし、第1のサブキャリアは、D2D送信端とアップリンクユーザ機器とによって共有されるサブキャリアである。そのため、アップリンク周波数スペクトルがD2D送信によって多重化される場合、どのようにしてD2D受信端におけるアップリンクユーザ機器の干渉を回避するかをD2D送信端が考慮することは不要であり、これは、D2D送信におけるアップリンク周波数スペクトルの感知の必要性を大きく簡略化する。また、D2D送信端から、およびアップリンクユーザ機器から到来する、D2D受信端によって受信される信号中のDMRSパイロットシーケンスの位置は重複せず、これは、アップリンク干渉チャネルの検出期間中に引き起こされる干渉を低減し得る。
【０１３２】
当業者は、本明細書において開示される実施形態と共に説明されるような様々な例のユニットおよびアルゴリズムステップが、電子ハードウェア、コンピュータソフトウェア、または双方の組み合わせによって実装され得ることをさらに認識し得る。このハードウェアとソフトウェアとの互換性を明確に説明するために、上記の説明では、上記例の構成および手続が、概して機能性に従って説明されてきた。これらの機能がハードウェアの形式で実装されるか、またはソフトウェアの形式で実装されるかは、具体的な適用例および技術的解決策の設計制約条件によって判定される。当業者は、説明された機能性を達成するために、特定の適用例ごとに異なる方法を使用し得るが、そのような実装は、本発明の範囲を超えるものとしてみなされるべきではない。
【０１３３】
本明細書において開示される実施形態と共に説明される方法またはアルゴリズムステップは、ハードウェア、プロセッサによって実行されるソフトウェアモジュール、または、この2つの組み合わせによって実行され得る。ソフトウェアモジュールは、ランダムアクセスメモリ(RAM:Random Access Memory)、読み出し専用メモリ(ROM:Read Only Memory)、電気的プログラム可能ROM、電気的消去可能プログラム可能ROM、レジスタ、ハードディスク、リムーバブルディスク、CD-ROM、または、本技術分野において知られているような任意の他の形式の記憶媒体に配置され得る。
【０１３４】
上述された実施形態においては、本発明の目的、技術的解決策および有利な効果が、さらに詳細に説明された。上記実施形態は、本発明の原理を説明するための例示的な実施形態にすぎないことが理解されるべきである。ただし、本発明は、それらの実施形態に限定されない。様々な変形および改良が、本発明の精神および本質から逸脱することなく、当業者によって行われてもよく、こうした変形および改良も、本発明の保護範囲内にあるとみなされるべきである。
【符号の説明】
【０１３５】
301  測定ユニット
302  計算ユニット
303  処理ユニット
304  受信ユニット
310  第1の計算サブユニット
311  第2の計算サブユニット
312  選択サブユニット
313  測定サブユニット
【図１】
2016197921.tif 000072
【図２】
2016197921.tif 000073
【図３】
2016197921.tif 000074
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
干渉を検出するための方法であって、
D2D送信端から到来する信号およびアップリンクユーザ機器から到来する信号を受信するステップと、
前記アップリンクユーザ機器からD2D受信端へのチャネルを検出するステップと
を含み、
前記D2D送信端から到来する前記受信される信号と、前記アップリンクユーザ機器から到来する信号とは、時間的に同期し、構造的に一致する、方法。
【請求項２】
前記D2D送信端から到来する前記受信される信号のDMRSパイロットシーケンスの位置と、前記アップリンクユーザ機器から到来する前記信号の前記DMRSパイロットシーケンスの位置とが、互いに重複しない、請求項1に記載の干渉を検出するための方法。
【請求項３】
前記アップリンクユーザ機器から到来する前記受信される信号において、DMRSパイロットシーケンスが存在する位置で、前記D2D送信端から到来する対応する受信される信号は、前記位置において無声である、請求項2に記載の干渉を検出するための方法。
【請求項４】
干渉を検出するための装置であって、
D2D送信端から到来する信号およびアップリンクユーザ機器から到来する信号を受信するように構成された受信ユニットと、
前記アップリンクユーザ機器からD2D受信端へのチャネルを検出する検出ユニットと
を備え、
前記D2D送信端から到来する前記信号と、前記アップリンクユーザ機器から到来する信号とは、双方共に前記受信ユニットによって受信され、時間的に同期し、構造的に一致する、装置。
【請求項５】
双方共に前記受信ユニットによって受信される、前記D2D送信端から到来する前記信号のDMRSパイロットシーケンスの位置と、前記アップリンクユーザ機器から到来する前記信号の前記DMRSパイロットシーケンスの位置とが、互いに重複しない、請求項4に記載の干渉を検出するための装置。
【請求項６】
前記アップリンクユーザ機器から到来し、前記受信ユニットによって受信される前記信号において、DMRSパイロットシーケンスが存在する位置で、前記D2D送信端から到来する対応する受信される信号は、前記位置において無声である、請求項5に記載の干渉を検出するための装置。
【外国語明細書】
2016197921000001.pdf